(57)【特許請求の範囲】
【請求項１】
縁無畳製造過程において畳の長辺に沿って畳表を畳表の織り目に直角に折り曲げるために、畳を載置して上下に昇降可能なテーブルと、
該テーブルに載置された畳の移動を防ぎ、上記テーブルと同調して同じ距離同じ方向に畳を押し下げ、かつ畳の厚さに関係なく畳の裏面の位置を一定の位置に押し下げる畳押さえ手段と、
畳表の折り曲げ位置を決めるための昇降可能な位置決め手段と、
該テーブルが下降する際に畳表のはみ出し部の畳の上角を畳の側縁に沿って折り曲げる折り曲げ手段とを有し、
上記の諸手段を自動的に動作可能とすることを特徴とする縁無畳用畳表折り曲げ機。
【請求項２】
畳押さえ手段により畳の裏面の位置が一定の位置に押し下げられており、その位置において畳表を畳床の長辺の下角に沿って畳の側方より折り曲げる手段を具備し、製造する畳が薄畳床であると操作盤で設定されている場合において、畳の側方より折り曲げる手段を動作させることを特徴とする請求項１記載の縁無畳用畳表折り曲げ機。
【発明の詳細な説明】
【０００１】
【産業上の利用分野】
本発明は畳製造の分野に利用されるものである。具体的には縁無畳の畳表を畳床の長辺の縁に沿って折り曲げることを必要とする加工分野に利用されるものである。
【０００２】
【従来の技術】
一般に縁無畳は縁付き畳の生産量に比べてその特殊性から量的に少なく、その生産に必要な技術においても縁付畳のそれに比べ作業の機械化、省力化は遅れていた。一方縁無畳の場合には表の織りの向き（藺草の向き）に直角に折り曲げることになり、框部のように織りに平行に折り曲げるのに比べ難しく折り癖が付け難く角が丸くなる傾向がある。このために時には、畳表を折り曲げた後に畳表に膨れが表れることがありこれを修正する作業も必要であった。（図１（ｃ）参照）
【０００３】
従来の作業について説明する。テーブルの上に框縫いの終わった畳を畳表の上面を下側にして置く。畳表の藺筋が畳床側端に平行になるように全長にわたって手で畳表を引き寄せたりしながら調整する。
【０００４】
畳床端に沿って千枚通し等を畳表の上に走らせることにより折り癖をつける。（図１（ａ））
【０００５】
折り曲げようとする範囲の畳表の全長にわたって高熱の蒸気を手持ちノズルを使って吹き付ける。又は高浸透性の界面活性剤等を塗布する。こうすることによって畳表は柔らかくなり、折り曲げ作業がしやすくなると同時に曲げたあとの戻りを少なくする効果がある。
【０００６】
畳隅部の畳表の隅止めを手作業で行う。具体的には該部の畳表を折り曲げてタッカーなどにより畳床と畳表を固着する。
【０００７】
次いで畳表を床の側端に押しつけながら折り曲げていく。一回に折り曲げることができる長さは掌より若干長い程度であり、端から順に全長にわたって折り曲げるには何回もこの作業を繰り返す必要がある。（図１（ｂ））曲げの済んだ部分を適当な間隔で、太い待ち針や千枚通し等により仮止めをおこなう。全長の折り曲げが終わった段階で折り具合の確かさをチェックして、緩みのある部分は前後の仮止めを一旦解放して再び折り曲げを行い、仮止めを行う。この後タッカーなどにより畳表と床裏を固着する。タッカー打ちのあと縫着する場合もある。一辺の折り曲げ作業はこれで終了する。
【０００８】
他の一辺の折り曲げ作業そのものは上述の手順と同じであるが、はじめの一辺の折り曲げ時畳床側端に沿って緩みが生じて、全長にわたって畳表に膨らみが生じことがある。（図１（ｃ））他の一辺の折り曲げ前にこの畳表の膨らみをなくすために再度、全長にわたって畳表を強く引っ張ってもう一端の畳表の折り曲げと畳床との固着を行っていた。
【０００９】
【発明が解決しようとする課題】
一連の作業が手作業によるため時間がかかること、折り曲げ時に充分に折り癖が付かず緩みが出るために畳表面に膨らみ（畳表が床から浮きあがった状態）が生じることがある。更に折り曲げ部がきちっと決まらず丸味をおびたようになり外観が良くない。またこの修正のための後戻り作業に時間を要し無駄が多いこと等が課題である。
【００１０】
【課題を解決するための手段】
上記の課題を解決するために、縁無し畳の畳表の一連の折り曲げ作業を機械化し、さらに機械の動作を自動化することにより作業効率の向上を計ると共に、折り曲げの精度を高めることにより、折り曲げ部の丸味や畳表の緩みなどの発生を防ぐ手段が必要である。
【００１１】
上記の必要手段を具体化するために請求項１に係る発明は、框縫いの済んだ畳を畳表を下にしてテーブルに載置して、折り曲位置決め手段が下降して、一度に畳の長辺の全部または大半部の折り曲げ位置を決め、さらに畳押さえ手段が下降して畳を固定した後、該畳押さえと該位置決め板とテーブルが同じ距離を下降して、テーブル上に載置された畳の床からはみ出た畳表の折り曲げ部を、畳の側縁に平行に設けられたテーブルとほぼ同じ長さの固定の折り曲げ板が下から押し上げるように折り曲げられていく機械である。また上記の諸手段は自動的に動作するので省力化されているのである。また該位置決め板が畳床の側面と畳表（はみ出し部）の間にあるために外側の折り曲げ板との相対上下動きにより、折り曲げは確実に行われる。更に畳押さえが畳表の折り曲げ時にも畳を全長にわたって押しつけているので畳表の緩みや膨らみも生じない。
【００１２】
そしてまた、畳を載置するテーブルと該畳の移動防止のための畳押さえが同調して同じ距離同じ方向に移動できる手段である。畳押さえが原点から下降して畳を押さえて更に下降すると、該テーブルは載置された畳とともに畳押さえのシリンダストロークだけ押し下げられる。畳押さえのシリンダ推力をテーブル上昇シリンダの推力よりも大きくすることによりこの動作が可能となる。畳押さえの原点からの最大ストロークは基準レベルまでであり、畳厚さに関係無く一定である。この手段により畳床の下面は押し下げられても、最終的には常に基準レベルで止まる。
【００１３】
また、畳表の折り曲げの位置決め板の支持構造をテーブルと一体にすることにより、テーブルが昇降すると、位置決め板も同じ距離を昇降することが可能な手段であり、畳表を畳の上角で折り曲げる際に、該位置決め板を畳床側面に沿わせて、はみ出し畳表の上面にセットすればテーブルの下降に伴って折り曲げが行われる。テーブルの動作の指示のみで位置決め板も所定の動作をするので効率的である。
【００１４】
請求項２に係る発明は、畳表の折り曲げを畳の側端の上角だけではなく、薄畳床である場合において、下角をも上角に続けて折り曲げ動作を行う手段である。テーブルとほぼ同じ長さの折り曲げ板が、該折り曲げ板の両端にある支持腕が下部の回転軸を中心に旋回することにより、上部の該折り曲げ板が基準レベルの高さ（テーブル上で畳の下角の位置）で畳側に移動し、畳表を畳の下角で押し入れるようにして折り曲げるのである。畳押さえにより下降した畳の下面は最終状態では常に基準レベルにあるので請求項２の動作が成り立つのである。
【００１５】
【発明の実施の形態】
本発明の縁無畳用畳表折り曲げ機１の構造について図２，図３により説明する。框縫いの終わった畳を畳表Ａを下にして載置して、畳の長さ方向に所定の位置へ移動するための複数の平行に配置された棒ローラー５と、棒ローラー５を軸受けを介して支持するテーブル６と、畳表の折り曲げ位置を決める昇降可能な位置決め板２と、折り曲げ位置を決めたあと畳を固定保持する昇降可能な畳押さえ３と、畳押さえ３がさらに下降して畳とテーブル６を押すとそのストローク分だけテーブル６を支えながら下降するエアシリンダ２１と、エアシリンダ２１のストローク分テーブル全体が一様に下降する手段として、エアシリンダ２１のストロークをテーブル６の他の支持位置に伝達するリンク２３と連結棒２４、２５と、畳とテーブル６が下降する際に、位置決め板２の面に平行に配備されて畳表Ａを畳の上角で折り曲げて立ちあげる固定の折り曲げ板７と、畳表Ａを畳の側縁の下角で水平に折り曲げる手段として、旋回する両端のアーム９の間にあって、畳表Ａを畳床Ｂ裏（図２では上面）に押しつけていく折り曲げ板８と、上記の諸手段の駆動源のエアシリンダ１６〜２１と、動作指示のフットスイッチ３０と初期設定の操作盤３２等により本発明の縁無畳用畳表折り曲げ機１は構成される。
【００１６】
上記の構成による本発明の機械が縁無畳の畳表Ａを折り曲げる動作の手順は次のようになる。
【００１７】
本発明の機械にセツトする前に、畳表Ａを所定の幅に切断しておく、畳床Ｂの四隅を切り欠き（図５の畳床Ｂの隅部を参照）畳表の折り曲げにより隅の膨れが出ないようにしておく、藺草表の場合は折り曲げ部分の畳表に図５に示すように過熱蒸気を当て軟らかくしておく、樹脂製表の場合は畳表Ａの折り部に加温された鏝を使って折り目付けをしておく等の準備を済ませておくことが必要である。また、機械側の準備としてコンプレッサー（図示せず）から清浄なエアを接続する、電源を入れて畳床が普通床または薄床かの仕分け等を操作盤３２のボタン（図示せず）で行う。通常、普通床の厚みは４０ｍｍ〜６０ｍｍ、薄床の厚みは１２〜２５ｍｍである。
【００１８】
ステップ１：畳表Ａを下にして、畳表Ａの折り曲げ部の一辺を機械１の手前側（図２では左）にして、ローラー５に載置して横（図３の左または右）から畳を入れ、機械の中央に寄せる。
【００１９】
ステップ２：畳床Ｂ側端をテーブル端より数ｍｍ中に（図２において右方に）セットする。
【００２０】
ステップ３：操作盤３２の位置決め板下降ボタンを押し続けると位置決め板２が下降し、テーブル６上の折り曲げ部の畳表Ａの約５ｍｍ上で停止する。
【００２１】
ステップ４：畳床Ｂ側端が位置決め板２に当たるまで畳表Ａの折り曲げ部を持って手前に引き寄せ、フットスイッチ３０を踏むと位置決め板下限調整２２が引っ込み、図４に示すように位置決め板２がさらに下降し畳表Ａを押さえる。このあと、合成樹脂製畳表の場合は、手動のヒートガン（図示せず）または蒸気等で畳表Ａが軟らかくなるまで暖める。
【００２２】
ステップ５：フットスイッチ３０を踏むと畳押さえ３が下降し、畳床Ｂ裏に接した後も下降すると、畳とテーブル６と位置決め板２も一体となつて下降するので、この過程で畳の側端は折り曲げ板７と上下にすれ違いになり図６に示すように畳表Ａが畳床Ｂに沿って折り曲げられる。
【００２３】
ステップ６以降は薄畳床Ｂの場合と普通畳床Ｂとでは作業工程の内容が異なってくるので、それぞれに分けて動作の手順を説明する。すなわち、薄畳床Ｂは上角とともに下角も折り曲げを行い、畳表Ａの側端を畳床Ｂの裏面にタッカーでステープル止めする。一方、普通畳床Ｂの場合は下角の折り曲げがなく畳表Ａの側端を畳床Ｂの側面にタッカーでステープル止めする。
ステップ６（薄畳床の場合）：フットスイッチ３０を踏むと位置決め板２が上昇し、次のステップで折り曲げ板が畳床Ｂ裏に押し入りできるように備える。
【００２４】
ステップ７（薄畳床の場合）：さらにフットスイッチ３０を踏むと折り曲げ板８がエアシリンダ２０により動作して、図７に示すように畳表Ａを畳の下角で折り曲げて畳床Ｂ裏に押し付ける。
【００２５】
ステップ８（薄畳床の場合）：折り曲げられた畳表Ａを畳床Ｂ裏に、畳全長にわたって適当な間隔でタッカー（図示せず）でステープル止めする。
【００２６】
ステップ９（薄畳床の場合）：フットスイッチ３０を踏むと折り曲げ板８は後退する。
【００２７】
ステップ６’（普通畳床の場合）：フツトスイッチ３０を踏むと折り曲げ板８がエアシリンダ１９により動作して畳床側面から離れ、畳床の側面にタッカーが入るスペースを確保すると共に、位置決め板２が上昇し、次のステップの畳床Ｂ側面と畳表Ａの固着作業ができる状態にする。
【００２８】
ステップ７’（普通畳床の場合）：折り曲げられた畳表Ａを畳床Ｂ側面に、畳全長にわたってタッカーでステープル止めする。
【００２９】
ステップ１０（薄畳床の場合）、ステップ８’（普通畳床の場合）：フットスイッチ３０を踏むと畳押さえ３が上昇する。
【００３０】
以上の動作により畳表Ａの片方の折り曲げは終了する。畳を反転してもう一辺の折り曲げを上記のステップ１から同じ手順で動作することにより縁無畳の畳表Ａの折り曲げは全て終了する。薄畳床の場合は畳表を畳床の側面にタッカーで充分に固着するスペースがないので畳床裏まで折り曲げてタッカーで固着している。普通畳床の場合は薄畳床に比べて厚く、畳床Ｂの側面に畳表Ａをタッカーで充分固着できるので畳表Ａを畳床Ｂの裏まで折り曲げる必要はないが，必要あれば薄畳床の畳表の折り曲げと同じ手順で折り曲げることができるのである。
【００３１】
【発明の効果】
以上の実施の形態に基づく説明から明らかなように、本発明の縁無畳用畳表折り曲げ機１によると、畳を本機械１にセツトしてから畳表Ａの折り曲げが終了するまで入力作業はフットスイッチ３０を踏む程度で良く、短時間で確実に畳表Ａの折り曲げを行うことが可能となり、畳表に膨らみが生じることもなくなる。更に機械の操作が簡単で熟練を要することがなく、後戻り工事がなくなり作業性を向上することができる。
【図面の簡単な説明】
【図１】従来の縁無畳用畳表の折曲げ作業を説明する図
【図２】本発明の縁無畳用畳表折曲機の全体図（側面図）
【図３】本発明の縁無畳用畳表折曲機の全体図（正面図）
【図４】位置決め板が下降した状態を説明する図（側面図）
【図５】蒸気の吹き付により畳表を柔らかくする状況の図
【図６】折曲板１の動作を説明する図（側面図）
【図７】折曲板２の動作を説明する図（側面図）
【符号の説明】
Ａ  畳表
Ｂ  畳床
１  本発明の機械
２  位置決め板
３  畳押さえ
５  ローラー
６  テーブル
７  折り曲げ板
８  折り曲げ板
９  アーム
１６〜２１  エアシリンダ
２２  位置決め板下限調整
２３  リンク
２４  連結棒
２５  連結棒
３０  フットスイッチ
３２  操作盤
３９  台
【図１】
0004375511.tif 000002
【図２】
0004375511.tif 000003
【図３】
0004375511.tif 000004
【図４】
0004375511.tif 000005
【図５】
0004375511.tif 000006
【図６】
0004375511.tif 000007
【図７】
0004375511.tif 000008